【事件の表示】
　平成１１年特許願第２９５２２７号「コネクタ」拒絶査定不服審判事件〔平成１３年　４月２７日出願公開、特開２００１−１１８６１８号〕について、次のとおり審決する。
【結　論】
　本件審判の請求は、成り立たない。
【理　由】
１．手続の経緯・本願発明 
　本願は、平成１１年１０月１８日の出願であって、その請求項１ないし１０に係る発明は、平成１５年８月１日付け手続補正書により補正された特許請求の範囲の請求項１ないし１０に記載された事項により特定されるとおりのものと認められるところ、その請求項１に記載された発明（以下、「本願発明」という。）は次のとおりである。 
    　
「本体と、
　前記本体に配置されており、接続対象物との電気的な接続が行われる端子と、
　前記本体に関連して設けられた操作部材と、
　前記接続対象物を着脱可能に支持することが可能であって、前記操作部材の動きに連動して前記端子に対して相対的に往復移動する支持部材とを備えており、
　前記操作部材が、導電性部材によって構成されていると共に、前記接続対象物と前記端子との接続時に実質的に前記接続対象物の全面を被覆することを特徴とする前記接続対象物と前記端子とを電気的に接続するためのコネクタ。」
         　
２．引用刊行物に記載された発明 
これに対して、原査定の拒絶の理由に引用した、特開平１−２４８８７７号公報（以下、「引用例」という。）には、図面とともに次の事項が記載されている。 
　 
(a)「〔実施例〕
　本発明のメモリカートリッジの着脱装置１を備えた電子スチルカメラ５０を示す第２図において、電子スチルカメラ５０のボディの背面５１にはメモリカートリッジ２の上面を覆う保護カバーとして扉５２が設けられており、この扉５２を開閉することによって、メモリカートリッジ２の出し入れを行うことができる。」（第２ページ左下欄第８行〜同欄第１４行）
  　
(b)「メモリカートリッジの着脱装置１にメモリカートリッジ２を装填した状態を示す第１図において、前記扉５２は、傾斜した突起５２ａ，５２ｂが両サイドの端部に設けられている。この突起５２ａ，５２ｂの内側の面にはピン４，５，外側の面には軸６（図示せず），７がそれぞれ固定されている。この軸６，７は、メモリカートリッジの着脱装置１の底部を形成しているフレーム板１０に設けられた支持部材１１，１２の孔に遊嵌されており、扉５２は軸６，７の周りに回動される。
　フレーム板１０の上面にはメモリカートリッジ２の嵌合されるコネクタ３が固定されているとともに、メモリカートリッジ２を載置するためのスライド板２０が移動自在に設けられている。フレーム板１０には、前記支持部材１１，１２の他に支持部材１３，１４が設けられており、この支持部材１３，１４の内側にはそれぞれガイドピン１５，１６が固定されている。」（第２ページ右下欄第５行〜第３ページ左上欄第２行）
      　
(c)「第３図はメモリカートリッジの着脱装置１にメモリカートリッジ２が装填されている状態を示しており、メモリカートリッジ２の凹状の接続端子はコネクタ３のピンに嵌合されている。扉５２を開く方向に端部５２ｃを持ち上げると、突起５２ａ，５２ｂは軸６，７を中心に回動され、ピン４，５が切り込み２１ａ，２２ａの前端部を押圧する。これによって、爪部２７，２８がメモリカートリッジ２の端部を押圧する。
　この時、メモリカートリッジ２の接続端子とコネクタ３のピンとの間には大きな摩擦抵抗が働くが、扉５２の端部５２ｃとピン４，５との間に軸６，７を支点としてテコが形成されるので、軽い力で扉５２を開けることができるとともに、コネクタ３からメモリカートリッジ２は容易に離脱される。これとともにスライド板２０はフレーム板１０の上をガイドピン１５，１６に案内されて移送され、メモリカートリッジの着脱装置１は第４図に示す状態になる。この状態でスライド板２０の先端がフレーム板１０及び電子スチルカメラ５０の側面５３から突出されるので、切り込み２０ａからメモリカートリッジ２の端を容易に保持することができ、スライド板２０からメモリカートリッジ２を取り出すことができる。
　再び、メモリカートリッジ２を電子スチルカメラ５０に装填するには、扉５２を開いてメモリカートリッジ２をスライド板２０に落とし込むようにすると、メモリカートリッジ２は爪部２５，２６，２７，２８の間に挟持されて第４図に示す状態になる。扉５２を閉じるとピン４，５が切り込み２１ａ，２２ａの後端部を押圧し、爪部２５，２６がメモリカートリッジ２の端部を押圧する。これによって、メモリカートリッジ２の凹状接続端子にコネクタ３のピンが入り込むとともに、メモリカートリッジ２がスライド板２０と一体に移送されて第３図に示す状態に収納される。」（第３ページ左上欄第１７行〜同ページ左下欄第１２行）
   　
(d)「したがって、メモリカートリッジの着脱をカバー部材の開閉操作によって行うようにしたので、メモリカートリッジを装填しないときにも、カバーによってコネクタピンは衝撃による破損、曲がり等から常に保護されるとともに、装填する際にはカバーの開閉操作だけすればよいので、大きな操作ストロークにもかかわらず不自然さがなく、イジェクト用のボタンやレバーをわざわざ設ける必要もなくなり、デザインが好ましく、コンパクトなメモリカートリッジの着脱装置を提供することができるようになる。さらに、手で着脱を行うことによって起こり易いコネクタピンの破損や折り曲げを回避することができ、常に安定した確実な接続を実現することができるようになるとともに、抜き取り時はもちろん、装填する際にも操作荷重が極めて小さい、操作性の良好なメモリカートリッジの着脱装置を提供することができるようになる。」（第３ページ右下欄第３行〜同欄最終行）
          　
　上記記載事項(a)ないし(d)の事項を総合すると、引用例には以下の発明（以下、「引用発明」という。）が記載されているといえる。 
         　
「フレーム板１０と、
　前記フレーム板１０に配置されており、メモリカートリッジ２との電気的な接続が行われるコネクタ３と、
　前記フレーム板１０に対して回動自在に設けられた保護カバーとしての扉５２と、
　前記メモリカートリッジ２を着脱可能に支持することが可能であって、
前記扉５２を開く方向に端部５２ｃを持ち上げると、フレーム板１０の上を移送され、メモリカートリッジ２をコネクタ３から離脱し、
　前記扉５２を閉じると、フレーム板１０の上を移送され、メモリカートリッジ２をコネクタ３に接続するスライド板２０とを備えており、
前記扉５２が、前記メモリカートリッジ２とコネクタ３との接続時に、前記メモリカートリッジ２の上面を覆う、
メモリカートリッジの着脱装置。」
      　
３．対比・判断 
　本願発明と引用発明を対比すると、その構造や機能からみて、引用発明の「フレーム板１０」、「メモリカートリッジ２」、「コネクタ３」、「扉５２」、及び「スライド板２０」は、それぞれ本願発明の「本体」、「接続対象物」、「端子」、「操作部材」、及び「支持部材」に相当するものといえる。また、これらの対応関係を踏まえれば、その構造や機能からみて、引用発明の「メモリカートリッジの着脱装置」は、本願発明の「前記接続対象物と前記端子とを電気的に接続するためのコネクタ」に相当するものといえる。
　そして、引用発明の「扉５２」は「フレーム板１０に対して回動自在に設けられ」ているのであるから、フレーム板１０に「関連して設けられ」たものであるといえ、また、引用発明の「スライド板２０」は、「扉５２を開く方向に端部５２ｃを持ち上げると、スライド板２０はフレーム板１０の上を移送され、コネクタ３からメモリカートリッジ２は離脱し、前記扉５２を閉じると、スライド板２０はフレーム板１０の上を移送され、コネクタ３にメモリカートリッジ２が接続される」のであって、第３図及び第４図の図示内容からみても、上記扉５２を開いてコネクタ３からメモリカートリッジ２を離脱するときのスライド板２０の移送と、上記扉５２を閉じてコネクタ３にメモリカートリッジ２を接続するときのスライド板２０の移送は、それぞれ逆方向の移送であるから、この動作は「往復移動」であることは明白である。したがって、スライド板２０は、扉５２の動きに連動してコネクタ３に対して相対的に往復移動するものであるといえる。
      　
　そうすると、本願発明の一致点及び相違点は以下のとおりである。
（一致点）
「本体と、
　前記本体に配置されており、接続対象物との電気的な接続が行われる端子と、
　前記本体に関連して設けられた操作部材と、
　前記接続対象物を着脱可能に支持することが可能であって、前記操作部材の動きに連動して前記端子に対して相対的に往復移動する支持部材とを備えている前記接続対象物と前記端子とを電気的に接続するためのコネクタ。」
    　
（相違点）
　操作部材に関し、本願発明においては「前記操作部材が、導電性部材によって構成されていると共に、前記接続対象物と前記端子との接続時に実質的に前記接続対象物の全面を被覆する」のに対し、引用発明においては操作部材（扉５２）の材質が不明であり、第２図及び第３図を参酌すると、接続対象物と端子との接続時に操作部材（扉５２）単独では、前記接続対象物の全面を被覆しているとはいえない点。
     　
　上記相違点について検討する。
　上記記載事項(a)によれば、引用発明の操作部材（扉５２）は、電子スチルカメラのボディ背面５１に設けられており、上記記載事項(d)の「メモリカートリッジの着脱をカバー部材の開閉操作によって行うようにしたので、メモリカートリッジを装填しないときにも、カバーによってコネクタピンは衝撃による破損、曲がり等から常に保護されるとともに、装填する際にはカバーの開閉操作だけすればよい」や、第３図、第４図を参酌すれば明らかなように、そもそもは接続対象物（メモリカートリッジ）を保護するカバーなのであるから、それを閉じたときに上記ボディ背面５１と共同して、実質的に接続対象物の全面を被覆するようにすることは、いわば当然のことである。その際、操作部材（扉５２）が単独で、接続対象物（メモリカートリッジ）の上面をどの範囲まで覆うようにするかは、当業者が設計上適宜選択し得る程度の事項にすぎず、操作部材を閉じたときに、該操作部材が単独で、実質的に接続対象物の全面を被覆するようにすることは、全体の外観や操作性、並びに端子部分の配置、構造等に応じて当業者が適宜なし得る設計的事項にすぎない。
　ところで、引用発明のメモリカートリッジの着脱装置が搭載される電子スチルカメラ等の電子機器においては、その筐体やカバー等の素材として、金属等の導電性部材を採用することは、例示するまでもなく、本願出願前より広くなされていることであるとともに、メモリカートリッジ等の接続対象物を含めた電子部品から外部への電磁波漏れや、外部から電子部品への電磁波侵入を防止することは、当該技術分野においてごく一般的に知られた技術的課題であり、その技術的課題解決のために、金属、即ち導電性部材により電子部品の外装を全体的に覆うことも、例えば特開平７−２８２２１７号公報（金属シールド板２参照）、特開平１１−１７５６８５号公報（金属カバー３０、１３０Ａ、１３０Ｂ参照）、特開平９−２９０５８８号公報（シールドケース２参照）、特開平１１−２５８６７１号公報（段落【００８０】の記載、前カバー１、後カバー２参照）、特開平１０−３２２０７３号公報（第１の金属箔板１２、第２の金属箔板１６、第３の金属箔板１９、金属箔板４０参照）等に記載の如く周知慣用の技術手段である。
　そうすると、引用発明において、上記周知慣用の技術手段に倣い、操作部材を導電性部材によって構成して、外部への電磁波漏れや外部からの電磁波侵入を防止するという、当該技術分野においてごく一般的に知られた技術的課題を解決することは、上述のとおりそもそもがこの操作部材は接続対象物を保護するカバーなのであるから、当業者が容易に想到し得ることであり、これを阻害する特段の事情も見当たらない。
 
　したがって、引用発明に上記周知慣用の技術手段を適用して、「前記操作部材が導電性部材によって構成されていると共に、前記接続対象物と前記端子との接続時に実質的に前記接続対象物の全面を被覆する」ことは、当業者が容易になし得たことである。
　また、上記記載事項(d)に記載されるとおり、引用発明の操作部材は、接続対象物をカバーする機能と、接続対象物の端子への接続操作を行う機能とを兼ね備えたものなのであるから、審判請求人が本願発明の作用効果として審判請求書で主張する、「接続対象物の動作時においてのみ電磁波がシールドされる」、「接続対象物と端子との接続時に接続対象物の全面が操作部材によって被覆される」点は、引用発明及び上記周知慣用の技術手段から当業者が当然予測し得るものである。
  　
　以上のことから、本願発明は引用発明及び周知慣用の技術手段に基づき当業者が容易になし得たものである。
    　
５．むすび 
　以上のとおり、本願発明は、その出願前に日本国において頒布された引用例に記載された発明に基いて、当業者が容易に発明をすることができたものであるから、特許法第２９条第２項の規定により特許を受けることができない。 
　よって、結論のとおり審決する。